(57)【要約】      （修正有）【課題】高天井等の施工困難な箇所に架設されたチェーン移送装置に多数の小型照明器具を装着し点検・清掃・交換等の作業を設置箇所と異なる好ましい作業場所で容易に行える照明器具移送可能型照明装置を実現する。【解決手段】架線材契合溝２ａに装着され張架された架線材１と支持部材３とにより建造物で支持された誘導レール２を使用するエンドレスチェーン移送装置によりメンテナンス作業時に小型照明器具８を移送する照明器具移送可能型照明装置。【選択図】図２
2014026957.tif 000002
【特許請求の範囲】
【請求項１】
チェーン移送用誘導レールと；
前記誘導レールと平行に張架され、該誘導レールを支持する架線材と；
前記誘導レール又は前記架線材を建造物で支持する支持部材と；
前記誘導レールで支持誘導される移送用チェーンと；
前記移送用チェーンで移送される照明器具とで；
構成されたことを特徴とする照明器具移送可能型照明装置。
【請求項２】
前記チェーン移送用誘導レールの架線材装着部を、前記架線材と契合する断面の連続した契合溝とすることを特徴とする請求項1記載の照明器具移送可能型照明装置。
【請求項３】
前記チェーン移送用誘導レールに、連続した電線収納部又は配線部材装着用溝を設けたことを特徴とする請求項1〜２記載の照明器具移送可能型照明装置。
【請求項４】
前記移送用チェーンを移送するチェーン移送用駆動部を複数設置したことを特徴とする請求項１〜３に記載する照明器具移送可能型照明装置。
【請求項５】
前記チェーン移送用誘導レールが、該誘導レール用標準品を複数連結した直線状ユニットを、複数連結して構成されることを特徴とする請求項１〜４に記載する照明器具移送可能型照明装置。
【発明の詳細な説明】
【技術分野】
【０００１】
本発明は、高天井・トンネル等の施工とメンテナンスが困難な箇所に設置される照明装置で、架線支持構造の誘導レールを使用してエンドレス移送するチェーン移送装置に、多数の小型照明器具を装着し、点検・清掃・交換等のメンテナンス作業時にチェーン移送装置により小型照明器具を設置箇所と異なる好ましい作業場所に移送する方式のメンテナンス作業が容易に行える照明器具移送可能型照明装置に関する。
【背景技術】
【０００２】
照明器具の設置箇所や設置高さのためメンテナンス困難で対象面積が広い場合の照明は、高効率・長寿命のセラミックメタルハライドランプ等のＨＩＤランプを光源とした照明器具の使用が一般的であるが、近時これらのＨＩＤ照明器具を上回る効率と４万時間以上の平均寿命を持つＬＥＤを光源とする照明器具が開発され市場投入されつつある。
これらのＬＥＤ照明器具は、従来のＨＩＤ照明器具と同様に固定設置されるが、いかに長寿命のＬＥＤ照明器具といえども点検・清掃・交換のメンテナンス作業は必要であり、これらの作業の効率化対策としてはＨＩＤ照明器具と同様に昇降装置が使用されている。
照明器具を固定設置とせず照明器具を移送可能に設置し、点検・清掃・交換等のメンテナンス作業を設置箇所と異なる好ましい作業場所で行う照明器具移送可能型照明装置があるが、通常は照明器具が重く移送装置が高価となるため、舞台照明等の照明範囲が限定され移送装置の使用頻度が高い用途以外では採用されていない。
これに対して、ＬＥＤ照明器具を多数の小型軽量のＬＥＤ照明器具としてこれらをチェーン移送装置に装着し、移送装置を軽量化して安価な移送装置とすることも考えられるが、従来の架設方法で高天井広域照明用やトンネル照明用の移送距離の長い誘導レールをチェーン移送に支障なく架設すれば移送装置設備費の高騰は不可避となり、通常１年以上の間隔で稼動するメンテナンス用装置としては経済的に不適と見做され商品化されていない。
【先行技術文献】
【特許文献】
【０００３】
【特許文献１】特開昭62-222509    移動式照明装置
【特許文献２】特開昭62-223903    移動式照明装置
【特許文献３】特許登録4632637    電動照明器具
【発明の概要】
【発明が解決しようとする課題】
【０００４】
本発明は、高天井・トンネル等の施工及びメンテナンスが困難で照明対象面積が広い場合の経済的でメンテナンス容易な照明装置として、誘導レールが架線支持構造のチェーン移送装置に多数の小型軽量のＬＥＤ照明器具が装着される照明器具移送可能型照明装置を提供することを目的とする。
チェーン移送装置を使用した照明装置を舞台照明の様な限定された用途でなく一般の高天井・トンネル照明用途の装置とする場合は、照明対象区域を複数の長方形区画に分割し各分割範囲に対し長方形のエンドレス移送ルートを持つチェーン移送装置を設置する方法が考えられるが、これには下記の基本的課題に対応する必要がある。
１）種々の設置条件に対応可能な汎用性のある支持構造と施工方法。
２）安全・確実・効率的な架設作業が可能な支持構造と施工方法。
３）長期間設置されても移送装置が安全・確実に稼動する支持構造。
また、通常一年以上の間隔で稼動するチェーン移送装置を照明装置に組み込むには、初期設備費用の削減が必須であり、これには下記の課題に対応する必要がある。
１）長スパン支持が可能なチェーン移送装置の軽量化と標準化によるコストダウン。
２）作業効率が悪く不安全な高所作業を大幅削減可能な施工方法。
３）高コストの高所作業用仮設足場を使用しない施工方法。
４）チェーン移送装置に無経験の一般電気工事作業者が対応可能な構成と施工方法。
尚、エンドレス移送ルートの経路は長方形に限定されず、多角形又は短い直線部で構成される大きな曲率を持った円弧状もある。
【課題を解決するための手段】
【０００５】
これらの課題を解決するために成した第一の発明は、
チェーン移送用誘導レールと；
前記誘導レールと平行に張架され、該誘導レールを支持する架線材と；
前記誘導レール又は前記架線材を建造物で支持する支持部材と；
前記誘導レールで支持誘導される移送用チェーンと；
前記移送用チェーンで移送される照明器具とで；
構成されたことを特徴とする照明器具移送可能型照明装置である。
本発明の照明器具移送可能型照明装置は以下の通りである。
【０００６】
1 ) 前記チェーン移送用誘導レールは、移送用チェーンを支持誘導するためにチェーンに装着された支持誘導体を支持し誘導する誘導レールで、支持誘導体に装着されたローラーを支持誘導するガイド溝を持つ軽量の量産型の定尺品を連結して構成され、架線材と支持部材とにより建造物で支持される。小型照明器具は照明設計で設定された個所の支持誘導体に装着されており、メンテナンス時にチェーン移送される。チェーン自体に設けたサイドローラー等を支持誘導するガイド溝を誘導レールに設け、チェーンにＬＥＤ小型照明器具を装着するホルダーを装着しても良い。
建造物の誘導レールを取り付ける個所の形状・構造は多種多様であり支持部材を個別に設計製作することは施工性を低下させコストアップになるので、誘導レールの支持部材を装着する部分の形状は電気・建築工事の標準部品として市販されている各種支持金具を使用可能な形状とした方が良い。また、誘導レールの支持位置は不確定なので何れの位置でも支持可能とする。
以上の誘導レールの要求性能を低コストで満足するにはアルミ押し出し成型品又は鋼板等のロール成型品とする方が良い。これ等に替えて電気工事用の標準部材として使用されるレースダクトやレースウェイの標準品を組み合わせ又は追加加工して使用しても良い。
【０００７】
２）前記架線材は、必要な抗張力と耐久性を持ち屈曲性のあるロープ、ワイヤー、又はチェーンで、チェーン移送用誘導レールと平行に張架され、誘導レールに装着されて誘導レールを支持する。誘導レールへの装着方法は、使用する架線材に対応した方法とする。
架線材は誘導レール架設作業中も牽引装置で張架され、誘導レールが支持部材により建造物で支持される迄は誘導レールを仮支持して作業安全を図る落下防止用部材となるだけでなく、誘導レールの架設位置・直進性を確保する作業を効率的に行うガイド用部材として使用される。また、誘導レール架設後も所定の引っ張り力で張架されており、誘導レールに装着された架線材が誘導レールの連結部を補強し直進性を保持させる。
チェーン移送用誘導レールの安全・確実・効率的な設置作業と誘導レールの補強とには、誘導レールの左右に誘導レールと密着する様に架線材を各１本以上張架する方が良い。
架線材は、施工性・コスト・耐久性等を考慮するとステンレスワイヤーロープが好ましく、更にプレテンション加工を行うとともに安全率を１０程度として架設されたロープの伸びを極力少なくする方が良い。
【０００８】
３）前記支持部材は、誘導レールを建造物で支持する部材で、固定、吊り下げ支持、ブレース支持等の電気・建築工事の標準部品として市販されている各種支持金具を基本に使用し、必要な場合に個別に製作する。
誘導レール直接支持のみでなく誘導レールと架線材とを一括支持しても、誘導レールを直接支持せずに架線材を建造物で支持する間接支持としても良い。また、誘導レールの熱膨張・収縮による長さの変化に対応するため、バネ材で変化を吸収する連結部を設けた支持部材又は誘導レールが摺動可能な支持部材としても良い。
【０００９】
４）前記移送用チェーンは、チェーンに装着された支持誘導体のローラー又はチェーン自体に装着されたローラーに支持され誘導レールを移送されるチェーンで、ローラチェーン又はリンクチェーンの何れでも良いが、通常はローラチェーンとなる。移送用チェーンは、エンドレス移送ルート上に設けられたチェーン移送用駆動装置により移送される。チェーンは長期間無給油状態で放置されるので無給油方式のチェーンを使用する方が良い。
移送ルートをエンドレスルートとせず、誘導レールの両端部にチェーン移送用駆動装置を設けたオープンルートとしても良い。一方のチェーン移送用駆動装置をチェーン巻き取り装置としても良い。この場合は、移送専用チェーン部が必要になり、ＬＥＤ小型照明器具等が一度誘導レール外に取り出されメンテナンス作業がし難い欠点があるが、単線の誘導レールのみを架設すれば良い場合には設備費用が大幅に削減される。エンドレス移送ルートの場合でもこの方法を準用すれば、移送用チェーンに装着された関連部材の一括更新が容易に出来る。
また、移送用チェーンが誘導レールの左右側面の何れからでも駆動可能な構造とすれば、トンネル照明等において退避場所引き込みに必要なＬ字型又は凸型部を持つエンドレス移送ルートや短い直線部で構成される大きな曲率を持った円弧状のエンドレス移送ルートが設置出来る。これ等の場合は、誘導レールの各コーナー部にチェーンガイド用のアイドルスプロケット等を設置し、チェーン移送時に誘導レールに横方向荷重が負荷されない様にする方が良い。
ＬＥＤ小型照明器具への給電線・信号線は支持誘導体及びチェーンに装着された電線保持部材により保持されて、メンテナンス時にチェーン移送される。給電線・信号線と電源制御盤との接続は、静置状態でのみ接続され、メンテナンス移送時に分離される。
【００１０】
５）支持部材を取り付ける建造物と誘導レールとの間隔が大きい場合、誘導レールを建造物に完全固定すると支持部材コストと施工作業費とが高くなるので、吊り下げ支持とする場合が多い。このような吊り下げ支持のため水平方向強度が不足する場合は、誘導レールと交差する架線材を建造物に張架し、この交差架線材を誘導レールに固定すれば低コストで補強できる。交差架線材は、直交交差架線材のみ、直交交差架線材と斜交交差架線材との組み合わせ、又は、網目状の斜交交差架線材としても良い。支持部材の中間に固定する交差架線材を張架しても良い。
【００１１】
第二の発明は、
前記チェーン移送用誘導レールの架線材装着部を、前記架線材と契合する断面の連続した契合溝とすることを特徴とする請求項1記載の照明器具移送可能型照明装置である。
本発明の照明器具移送可能型照明装置のチェーン移送用誘導レールは以下の通りである。
【００１２】
チェーン移送用誘導レールに架線材が連続して契合する溝を設け、架線材をこの契合溝に装着する。誘導レールと架線材が連続して契合することにより、誘導レール連結が容易確実になり、架設作業中も誘導レールが契合溝で保持されて誘導レールの脱落・落下が防止され、誘導レールの連結強度も向上する。
契合溝は、誘導レール断面に対して左右対称に離間して各１箇所以上設ける方が良い。誘導レールの側面に対しては下面又は側面開放型の契合溝を、誘導レールの下面に対しては下面開放型の契合溝を、誘導レールの上面に対しては上面開放型の契合溝を設ける。上面開放型の契合溝とする場合は、契合溝に装着された架線材が誘導レールを支持可能なＬ字型の断面とした方が良い。
架線材は、架設後の振動・衝撃等により架線材が離脱しない断面の契合溝で保持されるか、又は、誘導レール部材の弾性による契合溝への架線材押圧によって保持される。
架線材を契合溝に所定間隔で固定部材により直接的に又は間接的に押圧固定して誘導レールと架線材との一体化をすることにより、設置後の振動・衝撃による誘導レールの位置ずれを防止し、誘導レールの連結強度を更に強化しても良い。誘導レールと架線材との熱膨張差を吸収する必要がある場合は摺動可能に押圧する。固定部材は、架線材を固定又は摺動可能に押圧する固形部材、又は、バネ材等の弾性材又はポールプランジャー等の摺動可能に押圧する部材である。
【００１３】
第三の発明は、
前記チェーン移送用誘導レールに、連続した電線収納部又は配線部材装着用溝を設けたことを特徴とする請求項1〜２記載の照明器具移送可能型照明装置である。
本発明の照明器具移送可能型照明装置のチェーン移送用誘導レールは以下の通りである。
【００１４】
本照明装置の照明対象区域には移送用チェーンに架設される給電線以外に給電線への電源線等各種の固定配線が必要となるが、この固定配線を誘導レール架設時に併行して誘導レールに収納又は固定配線関連部材を誘導レールに装着して架線すれば、固定配線関連の部材・作業時間が大幅に削減される。特にトンネル照明においては固定配線経路が誘導レールに平行となるので固定配線のほとんどの主回路が誘導レールを使用して架線出来る。
前記電線収納部は、電線装着用開口部を持つ誘導レールの内部に設けられた連続した収納部で、必要な場合には開口部には防塵兼用の保護カバーを設け、電線を保護する。電線収納部は、誘導レールと一体成型して、又は、誘導レールと分離して製作された電線収納用部材を誘導レールと一体化して設ける。電線装着用開口部は、連続した開口部としても、必要な箇所に開口部を設ける構造としても良い。
前記配線部材装着用溝は、誘導レールの表面に設けられた配線部材装着用の連続した溝で、装着用ナットを挿入する溝又は配線部材を装着する契合溝として使用される。配線部材装着用溝は、誘導レールと一体成型して、又は、誘導レールと分離して製作された配線部材装着用溝を備えた部材を誘導レールと一体化して設ける。
【００１５】
第四の発明は、
前記移送用チェーンを移送するチェーン移送用駆動部を複数設置したことを特徴とする請求項１〜３に記載する照明器具移送可能型照明装置である。
【００１６】
チェーン移送距離が長距離となると、移送用チェーンに移送距離に比例した引っ張り荷重が負荷されるのでチェーンも許容荷重の大きい大型のものを使用することになり、チェーンの伸びによるＬＥＤ照明器具の位置精度も低下する。これに対しエンドレス移送ルート上に概略等間隔でチェーン移送用駆動部を設置すれば、各チェーン用駆動部は相互間のチェーンのみを移送すれば良いので、チェーンの引っ張り荷重が削減される。従って、許容荷重の小さな軽量チェーンの選択が可能となり、チェーンの伸びも少なくなり、チェーン移送も円滑化される。チェーン移送用駆動部の設置箇所は、駆動力伝達からは移送ルートのコーナー部が好ましいが、直線部に設置する時は移送用駆動部の前後にアイドルスプロケット等を設けて駆動力が円滑にチェーンに伝達される様にする。直線部にはチェーンブースターを使用しても良い。
【００１７】
第五の発明は、
前記チェーン移送用誘導レールが、該誘導レール用標準品を複数連結した直線状ユニットを、複数連結して構成されることを特徴とする請求項１〜４に記載する照明器具移送可能型照明装置である。
【００１８】
チェーン移送距離が長距離となる長大トンネル用照明設備等においては直線部もあれば曲率部もありその移送距離も不定であるが、個別対応するのでは無く、誘導レール用に製作された複数の標準レールを連結した直線状ユニットを、複数連結して直線部又は曲率部を構成し、部材と施工方法の標準化により設備費用を削減する。
直線状ユニットの長さは同一とすることが好ましく、曲率部の連結部にはチェーンガイド用のアイドルスプロケット等を設置しチェーン移送時に誘導レールに横方向荷重が負荷されない様にする。例えば、距離調整用のユニットを除き、長さ５０ｍの直線状ユニットに適合する様に部材を標準化し、５０ｍ単位で順次施工し、連結する。
【発明の効果】
【００１９】
第一の発明によれば、施工及びメンテナンスが困難な箇所に設置される小型照明器具移送用のチェーン移送装置について下記の効果がある。
１）誘導レールの軽量化と強度向上
張架した架線材が誘導レールに掛かる垂直・水平荷重を分担することにより、誘導レールの軽量設計が可能となり部材コストが削減され、誘導レールの連結強度も向上する。
２）誘導レール施工費の削減
高所作業となる誘導レールの位置決め・高さ調整・連結・直進性確保の作業が、張架した架線材を使用することにより安全・確実・容易に実施可能となり施工費が削減される。
３）汎用性のある支持構造と施工方法
支持構造が単純であるため種々の設置条件に対応可能な汎用性のある支持構造となり、施工方法も同様に汎用性のある方法となる。
４）耐震強度のある支持構造
誘導レールの直進部全長に亘って張架・装着された架線材が誘導レールの連結部を補強し直進性を保持するため、長期間設置されても耐震強度のある支持構造となる。必要な場合は交差架線材が誘導レールの耐震強度を補強するので、更に耐震強度のある支持構造となる。
５）誘導レールの熱膨張・収縮対策が容易
強固に固定しない誘導レールを連続して長く架設するには、誘導レールの連結部に熱膨張・収縮を吸収する隙間を設ける必要があるが、張架した架線材を使用することにより隙間を設けた連結部をチェーン移送に支障無く容易・単純に構成出来る。
６）配線工事費の削減
給電線等のワイヤーハーネスを、誘導レール架設前に床上で誘導レールに装着された支持誘導体・電線保持用部材に装着したり、チェーン移送装置の完成後にチェーンを移送しながら一箇所で順次に支持誘導体・電線保持用部材に装着して配線したりすることが出来るので、配線工事作業が大幅に簡略化される。
７）チェーン移送装置に経験の無い一般電気工事作業者のみで対応可能
チェーン移送装置の構造が単純であるため、一般電気工事作業者で移送装置の架設作業を含めた全ての作業が可能となり、移送装置施工用の作業者・工期が不要となり、工期短縮されトータルコストも削減される。
【００２０】
この結果、施工・メンテナンスが困難で照明対象面積が広い高天井・トンネル照明等において、多数のＬＥＤ小型照明器具を装着した以下の効果を持つ照明器具移送可能型照明装置の実現が可能となる。
１) ＬＥＤ照明器具コスト削減による照明設備費の削減
本方式の小型照明器具移送方式では共通仕様の標準化された量産型の低ＷのＬＥＤ小型照明器具等を使用するのに対し、従来の固定設置型照明方式ではメーカー別・用途別に開発・生産される生産数の比較的少ない中WのＬＥＤ照明器具を使用する。
従って、W換算での照明器具コストは本方式が非常に優位となり、移送装置を含めた照明設備費用は、メンテナンス用の昇降装置を設置しない固定設置型照明方式と比較しても同等以下とすることが出来る。即ち、メンテナンス機能の無い固定設置型照明と同等以下の設備費用で、メンテナンス機能を備えた小型照明器具移送方式の照明設備を設置できる。
２ ) メンテナンス作業の効率化によるメンテナンスコストの削減
固定設置型照明方式で必要な高価な昇降装置等の設置をせずに、点検・清掃・交換等の作業を設置場所と異なる好ましい場所で一括して容易に短時間で行える。
トンネル照明では、更にメンテナンス上のネックとなっている下記課題が改善される。
ａ）通行規制区間・区域の縮小
固定設置型照明ではメンテナンス対象全区間について両側車線を片側車線ずつ順次規制する必要があるが、本方式ではトンネル両壁面の照明器具を一括してエンドレス移送することが出来るので、片側車線のメンテナンス作業に必要な区域のみを規制すれば良く通行規制による渋滞が大幅に緩和される。
ｂ）通行規制時間の短縮
メンテナンス作業場所の移動に必要な通行規制区域の移動作業が不必要となり、メンテナンス作業時間が削減される。また、チェーン移送速度に見合ったメンテナンス作業員を固定したメンテナンス作業場所に配置すればメンテナンス作業時間が大幅に短縮される。例えば、チェーン移送速度を２０ｍ／分＝１．２Ｋｍ／時とすれば、全長１Ｋｍのトンネルの両側照明器具のメンテナンス作業が車線規制・解除作業時間を含め数時間で終了出来る。更にトンネル長１Ｋｍ単位でメンテナンス作業チームを必要数編成すれば、どのような長大トンネルでもメンテナンス作業が数時間で終了出来る。
３) 照明設計効率の向上による設備電力の削減
制約された数の中ＷＬＥＤ照明器具を固定配置する既存方式では、照度均整度を一定範囲に保持するためにある程度の照明ロスの発生が不可避で、分割区域毎の照度設定もし難い。本方式では多数のＬＥＤ小型照明器具を効率良く配置することが可能であり、照明ロスの発生を最小限に抑制出来、分割区域毎の照度設定もし易いため、照明設計効率が向上し設備電力が削減される。
４）点灯時節電率の向上
メンテナンス時に全ての照明器具がメンテナンス作業者の手元に移送されるので、点灯時間に対応して又は簡易測定した各照明器具の光束測定値に対応して、各々の照明器具の調光率を設定すれば、必要な照度を保持しながら電力使用量を最小限に抑制できる。
５）照明設計変更が容易で低コスト
照度変更、照度分布変更等の照明設計の変更をする場合は、メンテナンス作業と同様にチェーン移送装置を利用してＬＥＤ小型照明器具の仕様・照射方向・使用数・調光率等を簡単に変更可能なので、照明設計変更が容易に低コストで実施出来る。
従って、高天井・トンネル照明等の配置固定型照明だけでなく、舞台照明等の配置変更型照明に対しても小型照明器具の機種変更・増減・位置変更が容易な照明装置となる。
【００２１】
第二の発明によれば、チェーン移送用誘導レールの連結強度と施工作業の容易・確実化が更に向上する。
【００２２】
第三の発明によれば、固定配線関連の部材・作業時間が大幅に削減される。誘導レール経路と固定配線経路が平行なトンネル照明における固定配線の施工費は大幅に削減される。
【００２３】
第四〜第五の発明によれば、どの様な長距離のチェーン移送装置であっても単一仕様の移送用チェーン、チェーン移送用駆動部、誘導レール等を使用するチェーン移送装置とすることが出来、軽量化・標準化によりチェーン移送装置の設備費用がコスト削減され、照明器具移送可能型照明装置の適用範囲が拡大される。
【図面の簡単な説明】
【００２４】
【図１】長方形エンドレス移送ルートを持つ照明器具移送可能型照明装置の配置説明図
【図２】チェーン移送用誘導部の構造説明図、（ａ）図は移送方向に直角な断面図、（ｂ）図は移送方向に平行な側面図。
【図３】ロープ固定具の説明図。（ａ）図は固定側ロープ固定具の断面図、（ｂ）図は滑車側ロープ固定具の正面図、（ c ）図は滑車側ロープ固定具の断面図。
【図４】トンネル基本部照明用の照明器具移送可能型照明装置の配置説明図
【図５】トンネル基本部照明用の照明器具移送可能型照明装置の構造説明図、（ａ）図は移送方向に直角な断面図、（ｂ）図は移送方向に平行な側面図。
【図６】トンネル基本部照明用誘導レールユニットのロープ固定具の移送方向と直交する断面図。
【図７】トンネル基本部照明用誘導レールユニットのロープ固定具の移送方向断面図。
【発明を実施するための形態】
【実施例１】
【００２５】
本発明の照明器具移送可能型照明装置の実施例を、多数の小型ＬＥＤ照明器具が装着された長方形のエンドレス移送ルートを持つ複数のチェーン移送装置による高天井用の照明装置を基本に説明する。
以下に、照明器具移送可能型照明装置の配置方法、チェーン移送用誘導部の構造、及びメンテナンス作業について記載する。
【００２６】
１）配置方法（図１参照）  
本照明方法では、隔壁９で区画された照明対象区域を複数の長方形区画000、001等に分割し各分割範囲に対し長方形のエンドレス移送ルートを持つチェーン移送装置00、01等を複数設置する。
各チェーン移送装置には、誘導レール２として長辺部誘導レール21の２系統と短辺部誘導レール22の２系統が架設されている。長辺部誘導レール21は、架線材１が契合され固定された状態で支持部材３により建造物の天井部に支持されるとともに両端がチェーン移送用のスプロケットユニット６に連結されている。短辺部誘導レール22は、短辺部誘導レール共通の架線材１が契合され固定された状態で両端をスプロケットユニット６に連結されている。長辺部誘導レール21の連結部にはスライド可能連結部23が設けられている。
架線材１は、ステンレスワイヤーロープで、長辺部誘導レール21及び短辺部誘導レール22と平行に各２本が、その両端を隔壁９に取り付けられたロープ固定具11又は架線材用滑車を備えたロープ固定具12に連結され張架されている。長辺部架線材は両端がロープ固定具12に、短辺部架線材は一端がロープ固定具11に他端がロープ固定具12に連結される。また、補強用架線材19が長辺部誘導レール21の下部の両側に張架して配置され、スプロケットユニット６に連結されている。（図−２参照）
チェーン移送用のスプロケットユニット６は、ロープ固定具12に固定された連結板14に装着され、架線材１で位置決めされ支持されている。スプロケットユニット６には減速モーター等の駆動部61は常設せず、設置工事又はメンテナンス時にチェーンを移送するときにのみ必要箇所に駆動部61を設置する。また、駆動部61を装着するスプロケット軸にはトルクリミッターを装着し、誘導レール等故障時の安全対策を講ずる。
長辺部誘導レール21の水平方向の耐震強度を補強するため、直交交差架線材15を短辺部架線材１と同様に張架し、支持部材3 の箇所で各長辺部誘導レール21に固定する。
小型のＬＥＤ照明器具８は、長辺部誘導レール21に支持されているチェーン５に装着された支持誘導体４に照射方向を設定して装着されている。
【００２７】
２）チェーン移送用誘導部の構造説明（図２、図３参照）
ａ）架線材１は、プレテンション加工され安全率を１０程度とした両端末が端末加工されたステンレスワイヤーロープである。誘導レール21、22の両側の架線材契合溝2aに契合する様に所定の引っ張り力で各１本が張架されている。また、長辺部誘導レールに対しては、補強用架線材19が同様に張架されている。
ｂ）チェーン移送用誘導レール２は、長辺部誘導レール21と短辺部誘導レール22が各２系統あり、移送用チェーン５に装着された支持誘導体４のトップローラー41及びサイドローラー42を支持・誘導する誘導レールで、アルミ押し出し成形の定尺品を連結して構成する。
誘導レール２の各部において、架線材契合溝2aは架線材１、補強用架線材19が契合し、ローラーガイド溝2bはローラー41、42が支持誘導され、支持部材取付部2cは支持部材3が取り付けられ、保護カバー取付部2dには保護カバー24がネジ止めされ、ナット装着溝2eには側面連結板16のナット17が装着される。
定尺レールの連結は、アルミの熱膨張・収縮によるレール長の変化を分散させるため連結部には隙間を設け、誘導レール２の末端がスライド可能な連結方式とする。スライド可能連結部23は、支持部材取り付け部2cに取り付けられた側面連結板16と支持部材用当板33とで構成する。側面連結板16と支持部材用当板33とは、一方の誘導レール２にのみ完全固定され、他方の誘導レール２にはスライド可能に押圧する。
ｃ）支持部材3は、長辺部誘導レール21を建造物の天井部で支持するための部材（吊ボルト31、締め込みナット32、当板33、中ナット34）で構成される。吊ボルト31の上端は一般工法により天井構造物に取り付けられる。図示されていないが、吊ボルト31に替えて又は同一箇所にブレース材を併用して長辺部誘導レール21を支持しても良い。本実施例では、短辺部誘導レール22は、全体を架線材1で両端をスプロケットユニット６で支持されている。
【００２８】
ｄ）支持誘導体4は、移送用チェーン５に装着され、移送用チェーン５と給電線７とを誘導レール２で支持誘導するとともに照射角度が設定された小型のＬＥＤ照明器具８が装着されるアルミダイキャスト材である。
支持誘導体4の上部には２個のトップローラー41及び４個のサイドローラー42が装着され、誘導レール２のローラーガイド溝2bで支持・誘導される。
移送用チェーン５は、外リンク外幅のコ字状のチェーン装着溝4aに装着される。チェーン装着溝4aの横幅は外リンク5a外側の突出ピン5bの間にわずかのすき間を持って装着可能な幅とし、下側の外リンク5aを当板43でチェーン装着溝4aの底部に押圧する。押圧せずにわずかの隙間を設けても良い。このチェーン装着方法は、任意の外リンクに支持誘導体４が装着可能となる効果だけでなく、支持誘導体４がチェーンと平行な状態で移送されるので、スプロケットユニット６から誘導レール２に入る時にトップローラー41用の特別なガイド機構を必要とせずに円滑に移送される効果がある。
給電線７は、給電線架設溝4bに横架されるとともに給電線架設用ステンレスワイヤーロープ71に給電線保持用部材73で保持される。当板43は、給電線７及び給電線架設用ステンレスワイヤーロープ71の脱落防止用部材としても使用する。給電線架設用ステンレスワイヤーロープ71を使用せず、給電線・チェーン支持兼用の簡易型支持誘導体を必要な間隔で配置しても良い。
ＬＥＤ照明器具８は、照明器具装着部4ｃに照射角度を設定して装着される。照明器具装着部4cは、側面と下面にもＬＥＤ照明器具８が取付可能な形状とする。
ｅ）移送用チェーン５は、必要な抗張力を持つダブルピッチの無給油方式のピン突出チェーンで、スプロケットユニット６で移送される。ダブルピッチとする理由は、チェーンコストの削減と前記の支持誘導体装着方法を可能とすることにある。
ｆ）スプロケットユニット６は、エンドレス移送ルートの各コーナーに１ユニット計４ユニット装着される。スプロケットは軸受け部によりベース板に固定されており、ベース板は連結板14に固定され架線材１で位置決めされ支持されている。減速モーター等の駆動部61は１ユニット又は対向する位置の２ユニットに着脱自在に装着される。駆動部61は、メンテナンス稼動間隔が通常は一年以上であり駆動部自体のメンテも必要となるため、メンテナンス時に装着する可搬式駆動部とし常設しない。チェーンブースターをコーナー以外の箇所に設け、駆動部として良い。
ｇ）給電線７は単相三線式のIV 電線等で製作されたワイヤーハーネスである。静置状態において固定接続部72で電源と固定接続され、支持誘導体４及び給電線架設用ステンレスワイヤーロープ71で支持され、ＬＥＤ照明器具８に分岐接続される。
固定接続部72は、通常は短辺部誘導レール22の側に１箇所設けるが、接続し易い場所であれば何れの場所でも良い。固定接続部72は、チェーン移送時には作業者が分離する。また、接続部を複数設ければ給電線７の必要通電容量を削減出来る。
ＬＥＤ照明器具8を調光する場合に必要となる信号線も給電線と同様に架線され、分岐接続される。
ｈ）ＬＥＤ照明器具８は、ＬＥＤを光源とする小型軽量の照明器具で支持誘導体４の照明器具装着部4cにU型金具81で照射角度を設定して装着される。
【００２９】
３）メンテナンス作業方法（図１参照）
ローリングタワー等の移動式作業台車を必要箇所に配置し、チェーン移送装置毎に以下の工程で順次実施する。
ａ）固定接続部72を分離する。
ｂ）スプロケットユニット6へ駆動部61を装着する。
ｃ）チェーン５をエンドレス移送し、各ＬＥＤ照明器具8をメンテナンスする。点灯用電源が個別の調光率固定制御方式のときは、点灯時間に対応した調光率又は簡易測定した光束値に対応した調光率を設定する。
ｄ）チェーン５を所定位置に復帰し、駆動部61を取り外し、固定接続部72を接続する。
【実施例２】
【００３０】
本発明の直線状の誘導レールユニットを複数設置したトンネル基本部照明における照明器具移送可能型照明装置の実施例は、下記の通りである。
以下に、照明器具移送可能型照明装置の配置方法、チェーン移送用誘導部の構造、及びメンテナンス作業について記載する。
【００３１】
１）配置方法（図４参照）  
本照明装置は、一方通行の車線１０１及び車線１０２の２車線の反転する曲率を持った曲率部と両端の直線部とによるトンネル基本部照明装置である。チェーン移送装置09の長辺部誘導レール121は、中央の曲率部と両端の直線部で構成され、トンネルの両壁面に架設される。短辺部誘導レール122は、2車線を横断してトンネル上部に架設される。長辺部誘導レール121は、誘導レールユニット26を連結して構成される。移送用チェーン５は、エンドレス移送ルート上に設置された複数の移送用駆動部61でマルチ駆動される。
誘導レールユニット26においては、複数の定尺誘導レール２が架線材１、補強用架線材19及び支持部材３で支持され、架線材１及び補強用架線材19が誘導レールユニット用ロープ固定具18に連結されている。直線部の連結部では隣接するロープ固定具18同士を連結するが、コーナー部及び曲率部の連結部では隣接する誘導レールユニット用ロープ固定具18の間にスプロケットユニット６を設置する。（図４では架線材１、補強用架線材19、定尺誘導レール２、及び支持部材３は表示されていない。）
メンテナンス作業区域103は、車線101の一部に設けられ、電源との固定接続部72もこの区域に設けられる。
【００３２】
２）チェーン移送用誘導部の構造（図５〜７参照）
実施例１と異なる部分について主に記載する。
ａ）架線材は、実施例１と同様に、誘導レール２の上部両側の架線材１の他に下部両側に補強用架線材19を装着する。架線材１及び補強用架線材19の両端は、所定の引っ張り荷重を加えて誘導レールユニット用ロープ固定具18で固定する。
ｂ）誘導レール２は、下記事項が実施例１と異なる。
・移送用チェーンを左右両側面から駆動可能な構造とする。
・使用環境に対応した表面処理を行う。
・誘導レール上部に電線収納部2f及び電線収納部カバー28を設ける。
・トンネル内風圧に対して取り付け強度を強化するとともに固定配線74の装着を容易にするために支持部材３の取り付け方法が変更されるに伴いナット装着溝2eが2箇所追加される。
・側面連結板用ナット17のナット装着溝2eが2箇所追加される。誘導レール側面部のナット装着溝2eは、外部配線部材装着用のナット装着溝2e兼用ともなる。
・ローラー41、42の配置変更によりローラーガイド溝42が位置変更される。
・トンネル内の粉塵・油煙等によるチェーン・ローラー等への悪影響を極力防止するため、保護カバーは二段防護式のアルミ押し出し成型カバー27を装着するとともに誘導レール連結部の隙間等は連結用部材等でカバーする。左右の成型カバー27の間には、支持誘導体４が通過する隙間が発生するが、支持誘導体４と給電線保持部材73とに連結したリンク式カバーを成型カバー27と契合させてこの隙間をカバーしても良い。
ｃ）支持部材３は、使用環境に対応した表面処理とトンネル内壁取り付けによる形状変更以外は実施例１とほぼ同様である。トンネル内壁への取り付けは、埋め込みアンカーボルトで無くあと施工アンカーボルトを使用する方式となるが、老朽・腐食したアンカーボルト取り付部の交換・補修を容易にするため、ベース部材に補修用アンカーボルト取り付け部又は補修用ベース部材取り付け部を当初より設けておく方が良い。
ｄ）支持誘導体４は、チェーンを両側から駆動可能とするためにアタッチメント付チェーン下側のアタッチメント用外リンクにスプリングピン44で結合される以外は、実施例１と同様である。表面処理は使用環境に対応して行う。トンネル内風圧に対して誘導レールに対する固定強度を強化する場合は、バネ圧でローラーを誘導レールに押圧する押圧用ローラーを追加する。
ｅ）移送用チェーン５は、下側外リンクにアタッチメントを持つステンレス製アタッチメント付チェーンとなる以外は実施例１と同様である。
ｆ）スプロケットニット６は、実施例１と同様である。
ｇ）給電線７は、実施例１と同様である。また、固定配線74が電線収納部2fに架設される。図示されていないが、誘導レール２の側面に電力ケーブル等を架設する場合は、ナット装着溝2eに挿入したナットを使用して固定する。
ｈ）ＬＥＤ小型照明器具８は、実施例１と同様である。
【００３３】
３）メンテナンス作業方法（図４参照）
車線の規制・作業区域確保・規制解除の作業以外は、実施例１とほぼ同様である。メンテナンス作業中の無照明の状態を回避するには、給電線・信号線のワイヤーハーネス７に一定間隔で遮断スイッチ付の外部接続用コネクターを設け、チェーン移送中は常時通電状態となる様に外部接続用コネクターを順次切り替えて給電する。非対称照明方式の場合は、両方の短辺部でＬＥＤ小型照明器具の照射方向の切り替えが必要となるが、支持誘導体４の照明器具装着部4cに回動角度が設定された水平回動機構を設け、これにＬＥＤ小型照明器具８を装着すれば、照射方向の切り替えは簡便な作業となる。更に、チェーン移送力で回動機構のレバー等を操作すれば照射方向の自動切換えが可能となり、切り替え場所への作業員の配置及び作業場所確保のための車線規制が不要となる。
【実施例３】
【００３４】
本発明の直線状の誘導レールユニットを複数設置したトンネルの入口部・出口部照明における照明器具移送可能型照明装置の実施例は、下記の通りである。
トンネルの入口部・出口部照明は、照度分布が変化しない基本部照明と異なり、車線の進行方向に対し照度分布が変化する。以下に、チェーン移送装置の配置方法、チェーン移送用誘導部の構造、施工方法、及びメンテナンス作業について記載する。
【００３５】
１）照度分布固定設定方式の場合  
従来の入口部・出口部照明は、照明器具の光束又は配置密度で照度分布を設定する照度分布固定設定方式である。この方式は点灯状態で照明器具をチェーン移送すると照度分布が不適正となる。このため通行安全確保から点灯状態で照明器具をチェーン移送することが出来ないので、チェーン移送対象区域は無照明となり作業用の仮設照明設備も必要となる。従って、通行車線の照度を確保するためには、エンドレス移送ルートを各々の車線に独立して設ける必要があり、メンテナンスも車線毎に実施する。これ等を除けば基本部照明と同様である。
【００３６】
１）照度分布可変設定方式の場合  
照明器具の光束及び配置密度を同一とし照度分布を各照明器具の調光率で設定する照度分布可変設定方式とすれば、点灯状態で照明器具をチェーン移送することが出来る。
照度分布可変設定方式の実施例は、下記の通りである。
ａ）チェーン移送中の照度分布の設定方法
各照明器具の点灯電源に外部信号により調光最高出力設定、順次多段減光設定、調光最低出力設定、及び順次多段増光設定が可能な調光制御回路を設け、エンドレス移送ルートの所定箇所に調光制御用の外部信号発生用機器を設け、チェーン移送中も所定の照度分布が設定可能とする。
一例として、調光制御回路に光電スイッチによる調光制御用入力信号回路を設けるとともに、誘導レールに光電スイッチを動作させる通過型ドグを外部信号発生用機器として設ける方式について説明する。通過型ドグは、入口と出口に調光最高出力設定ドグ、基本部との接続部に調光最低出力設定ドグ、中間部に複数の順次多段減光又は増光設定ドグを設ける。中間部の減光又は増光設定ドグは、所定の照度分布となる様に設ける。各照明器具の調光制御は、下記制御の繰り返しとなる。
・入口部で調光最高出力設定。
・トンネル内方向に移送されるに従い順次に多段減光
・基本部との接続部で調光最低出力設定
・トンネル外方向に移送されるに従い順次に多段増光
ｂ）チェーン移送装置の配置方法とメンテナンス作業方法
本照明方式ではチェーン移送中も照明可能となるので、基本部照明と同様に車線101、102を共通のエンドレスルートに含めることが出来る。従って、片側車線101の通行規制のみで双方の車線のメンテナンスを効率的に実施できる。
本照明方式では、配置場所によって照明器具の負荷率が大きく異なるので、定期メンテナンス時に配置場所をずらして負荷率を平均化する。また、定期メンテナンス時に使用時間に対応して調光最高出力設定と調光最低出力設定を変更して節電効果を高める方が良い。
【符号の説明】
【００３７】
０００  分割された長方形区画
００１  分割された長方形区画
１０１  車線１
１０２  車線２
００    長方形区画000のチェーン移送装置
０１    長方形区画00１のチェーン移送装置
０９    車線1及び２のチェーン移送装置
１      架線材
１a    
固定側端末
１b    
滑車側端末
１１    ロープ固定具
１１a   連結軸
１２    ロープ固定具(滑車側)
１２a   滑車
１２b   ラック部
１３    ロープ押圧部材
１４    連結板
１５    直交交差架線材
１６    側面連結板
１７    当金用ナット
１８    ロープ固定具（トンネル照明用）
１９    補強用架線材
２      チェーン移送用誘導レール
２ａ    架線材契合溝
２ｂ    ローラーガイド溝
２ｃ    支持部材取付部
２ｄ    保護カバー取付部
２ｅ    ナット装着溝
２ｆ    電線収納部
２１    長辺部誘導レール
２２    短辺部誘導レール
２３   スライド可能連結部
２４    保護カバー
２５    スライド連結チャンネル
２６    誘導レールユニット
２７    押し出し成型保護カバー
２８    電線収納部カバー
３     支持部材
３１    吊ボルト
３２    締め込みナツト
３３    当板
３４    中ナット
４      支持誘導体
４ａ    チェーン装着溝  
４ｂ    給電線架設溝
４ｃ    照明器具装着部
４ｄ    アタッチメントチェーン装着部
４１    トップローラー
４２    サイドローラー
４３    タッピングネジ
４４    スプリングピン
５      移送用チェーン
５ａ    移送用チェーンの外リンク
５ｂ    移送用チェーンのピン
５ｃ    アタッチメントチェーンの外リンク
６      スプロケットユニット
６１    駆動部
７      給電線及び信号線
７１    給電線架設用ステンレスワイヤーロープ
７２    固定接続部
７３    給電線保持用部材
７４    固定配線
８      ＬＥＤ小型照明器具
８１    U型金具
9       隔壁
【図１】
2014026957.tif 000003
【図２】
2014026957.tif 000004
【図３】
2014026957.tif 000005
【図４】
2014026957.tif 000006
【図５】
2014026957.tif 000007
【図６】
2014026957.tif 000008
【図７】
2014026957.tif 000009